(57)【要約】【課題】既存の方式よりも高集光度が得られる集光型太陽光発電システムを提供する。【解決手段】ビームダウン式の集光装置を利用したものであり、太陽電池セル集合体３に複数のヘリオスタット５により反射した太陽光を集めるため、ヘリオスタット５のミラー枚数やヘリオスタット自体の数を増やした分だけ、太陽電池セル集合体３に対する集光度を高めることができる。タワー式の場合は、タワーの一方側の角度約９０度の範囲にしかヘリオスタットを配置することができないが、それを超えて、最大３６０度の全周範囲にヘリオスタット５を配置することができる。【選択図】図１
2012038954.tif 000002
【特許請求の範囲】
【請求項１】
地上よりも高い位置に設置され、下面に反射面を有するセンターミラーと、
前記センターミラーの周囲で、該センターミラーを中心とした角度９０度を超える地上領域に設置され、太陽光を前記センターミラーに反射する複数のヘリオスタットと、
前記センターミラーで反射された太陽光が集光する位置に設置され、複数の太陽電池セルを互いに隣接した状態で一体的に並置した太陽電池セル集合体とから構成されていることを特徴とする集光型太陽光発電システム。
【請求項２】
前記センターミラーは、断面が楕円に合致した湾曲面を有し、かつ、下方に第１焦点と第２焦点を持つものであり、
前記太陽電池セル集合体は、前記第２焦点の位置に設置されており、
前記ヘリオスタットは、反射光が前記第１焦点へ向かうように制御されることを特徴とする請求項１記載の集光型太陽光発電システム。
【請求項３】
前記センターミラーは、断面が楕円に合致した湾曲面を有し、かつ、下方に第１焦点と第２焦点を持つものであり、
上部開口よりも下部開口の方が小さく且つ内面が鏡面とされた筒型集光鏡を、前記上部開口の中心と前記第２焦点とを略一致させた状態で設置し、
前記太陽電池セル集合体は、筒型集光鏡の下部開口内に設置されており、
前記ヘリオスタットは、反射光が前記第１焦点へ向かうように制御されることを特徴とする請求項１記載の集光型太陽光発電システム。
【請求項４】
前記ヘリオスタットは、日中の太陽方位の対角となる範囲に収まるように設置されており、前記センターミラーは、前記ヘリオスタットからの反射光が当たらない部分が切欠かれていることを特徴とする請求項１〜３のいずれか１項に記載の集光型太陽光発電システム。
【請求項５】
太陽電池セル集合体が、センターミラーの中心を鉛直方向に貫通する中心軸（Ｇ）上に水平状態で設置され、
センターミラーから最遠のヘリオスタットで反射された太陽光がセンターミラーの反射点（Ｐ）で反射されて太陽電池セル集合体の表面に向かう入射角度（θ）が、太陽電池セルの許容入射角度以下となるように、
前記反射点（Ｐ）と中心軸（Ｇ）とを結ぶ水平距離（Ｍ）と、前記反射点（Ｐ）と太陽電池セル集合体の表面とを結ぶ垂直距離（Ｈ）とが、それぞれ設定されていることを特徴とする請求項１〜４のいずれか１項に記載の集光型太陽光発電システム。
【発明の詳細な説明】
【技術分野】
【０００１】
本発明は、集光型太陽光発電システムに関するものである。
【背景技術】
【０００２】
通常のシリコン系の太陽電池セルは、非集光の太陽光を当てることにより１５％程度の発電効率が得られる。一方、人工衛星などに用いられているＧａＡｓなどのIII−Ｖ族太陽電池セルは、材料コストが高いが、変換効率が高い。多接合セル構造のものは変換効率３３％が得られ、さらに集光した太陽光を当てることにより４０％以上の変換効率も可能となる。このような高い変換効率の太陽電池セルに集光した太陽光を当てて高効率で発電を行うことは集光型太陽光発電（ＣＰＶ）と呼ばれ着目されている。
【０００３】
集光型太陽光発電で使用される集光装置としては、一般に太陽を追尾しながら常に太陽に向いた状態を維持するディッシュ型のミラーが使用されている。複数のミラー要素をディッシュ型に形成して、その焦点位置に太陽電池セルを固定した構造である（例えば、特許文献１参照）。
【０００４】
また、所定高さを有するタワーの頂部に太陽電池セルを固定し、そこにタワーの周辺の地上に設置した複数のヘリオスタットにより太陽光を反射して集光させるタワー型も知られている。
【先行技術文献】
【特許文献】
【０００５】
【特許文献１】特開２００５−１６６９４９号公報
【発明の概要】
【発明が解決しようとする課題】
【０００６】
しかしながら、このような従来の技術にあっては、集光装置がディッシュ型のため、集光度が５００倍程度であり、得られる発電量に限界があった。すなわち、ディッシュ型は大型化すると自重によりミラー表面が歪むため大型化が困難であり、５００倍程度の集光度が限界であった。そのため、集光度を８００倍〜２０００倍程度にまで高めれば、より高い発電効率が得られるにもかかわらず、それを実現するための集光型太陽光発電システムが提案されずにいた。
【０００７】
また、タワー型は地上に設置した複数のヘリオスタットから太陽光を集光させるため、ある程度の集光度が得られるものの、タワーの頂部の側面における太陽電池セルを設けた側の地上領域（角度約９０度の扇状エリア）にしかヘリオスタットを設置できないため、設置できるヘリオスタットの数に限りがあり、やはり集光度に限界があった。
【０００８】
本発明は、このような従来の技術の課題に着目してなされたものであり、既存の方式よりも高集光度が得られる集光型太陽光発電システムを提供することを目的としている。
【課題を解決するための手段】
【０００９】
請求項１記載の発明は、地上よりも高い位置に設置され、下面に反射面を有するセンターミラーと、前記センターミラーの周囲で、該センターミラーを中心とした角度９０度を超える地上領域に設置され、太陽光を前記センターミラーに反射する複数のヘリオスタットと、前記センターミラーで反射された太陽光が集光する位置に設置され、複数の太陽電池セルを互いに隣接した状態で一体的に並置した太陽電池セル集合体とから構成されていることを特徴とする。
【００１０】
請求項２記載の発明は、前記センターミラーは、断面が楕円に合致した湾曲面を有し、かつ、下方に第１焦点と第２焦点を持つものであり、前記太陽電池セル集合体は、前記第２焦点の位置に設置されており、前記ヘリオスタットは、反射光が前記第１焦点へ向かうように制御されることを特徴とする。
【００１１】
請求項３記載の発明は、前記センターミラーは、断面が楕円に合致した湾曲面を有し、かつ、下方に第１焦点と第２焦点を持つものであり、上部開口よりも下部開口の方が小さく且つ内面が鏡面とされた筒型集光鏡を、前記上部開口の中心と前記第２焦点とを略一致させた状態で設置し、前記太陽電池セル集合体は、筒型集光鏡の下部開口内に設置されており、前記ヘリオスタットは、反射光が前記第１焦点へ向かうように制御されることを特徴とする。
【００１２】
請求項４記載の発明は、前記ヘリオスタットは、日中の太陽方位の対角となる範囲に収まるように設置されており、前記センターミラーは、前記ヘリオスタットからの反射光が当たらない部分が切欠かれていることを特徴とする。
【００１３】
請求項５記載の発明は、太陽電池セル集合体が、センターミラーの中心を鉛直方向に貫通する中心軸（Ｇ）上に水平状態で設置され、センターミラーから最遠のヘリオスタットで反射された太陽光がセンターミラーの反射点（Ｐ）で反射されて太陽電池セル集合体の表面に向かう入射角度（θ）が、太陽電池セルの許容入射角度以下となるように、前記反射点（Ｐ）と中心軸（Ｇ）とを結ぶ水平距離（Ｍ）と、前記反射点（Ｐ）と太陽電池セル集合体の表面とを結ぶ垂直距離（Ｈ）とが、それぞれ設定されていることを特徴とする。
【発明の効果】
【００１４】
請求項１記載の発明によれば、センターミラーとヘリオスタットによるビームダウン式の集光装置を利用したものであり、太陽電池セル集合体に複数のヘリオスタットにより反射した太陽光を集めるため、ヘリオスタットのミラー枚数やヘリオスタット自体の数を増やした分だけ、太陽電池セル集合体に対する集光度を高めることができる。タワー式の場合は、タワーの一方側の角度約９０度の範囲にしかヘリオスタットを配置することができないが、ビームダウン式の場合は、少なくとも９０度を超えた角度範囲、最大３６０度の全周範囲にヘリオスタットを配置することができるため、ヘリオスタットの数を増して集光度を十分に高めることができる。
【００１５】
請求項２記載の発明によれば、センターミラーは断面が楕円に合致した湾曲面を有した形状であって、ヘリオスタットで反射した太陽光がセンターミラーの第１焦点を通過すれば、その太陽光は幾何光学的に必ず第２焦点に集光する。そのため、ヘリオスタットは反射光が常に第１焦点へ向かうように制御すれば良く、ヘリオスタットの制御が容易である。
【００１６】
請求項３記載の発明によれば、第２焦点の周囲に筒型集光鏡が設けられているため、第２焦点から外れた太陽光を筒型集光鏡の内面で反射して確実に太陽電池セル集合体に導くことができる。
【００１７】
請求項４記載の発明によれば、センターミラーにおいてヘリオスタットからの反射光が当たらない部分を切り欠いているため、センターミラーの小型化を図ることができ、センターミラーの設置作業が容易になる。また、ヘリオスタットは日中の太陽方位の対角となる範囲に収まるように設置されているため、全周に配置する場合よりもヘリオスタットの数は減るものの、太陽光の入射方向と反射方向の関係によりエネルギーのロスが大きくなる領域のヘリオスタットが省略されただけなので、集光装置全体のエネルギーのロスはそれほど大きくなく、減った分のヘリオスタットのコスト削減を考慮すると、結果的に太陽光の利用効率及びコストの面で有利な構造となる。
【００１８】
請求項５記載の発明によれば、２つの距離要素を調整するだけで、ヘリオスタットから太陽電池セル集合体に入射する太陽光の入射角度を許容入射角度以下に設定することができるため、全体設計が容易である。
【図面の簡単な説明】
【００１９】
【図１】第１実施形態に係る集光型太陽光発電システムを示す斜視図。
【図２】集光型太陽光発電システムを示す平面図。
【図３】集光型太陽光発電システムを示す一部断面の側面図。
【図４】太陽電池セル集合体に対する入射角度に関与する距離要素を示す説明図。
【図５】ヘリオスタットを示す斜視図。
【図６】ヘリオスタットを示す分解斜視図。
【図７】ヘリオスタットのミラーの支持構造を示す概略説明図。
【図８】太陽電池セル集合体を示す側面図。
【図９】太陽電池セル集合体を示す平面図。
【図１０】第２実施形態に係る筒型集光鏡と太陽電池セル集合体を示す側面図。
【図１１】太陽電池セル集合体を筒型集光鏡の上から見た平面図。
【図１２】第３実施形態に係るセンターミラーの太陽電池セル集合体に対する入射角度に関与する距離要素を示す説明図。
【発明を実施するための形態】
【００２０】
図１〜図９は、本発明の第１実施形態を示す図である。この実施形態では、小型のパイロットプラント級の集光型太陽光発電を例に説明する。また東西南北の方向性は日本のように北半球の中緯度の地域を例にして説明する。
【００２１】
図１はビームダウン型の集光装置を示している。中心にはセンターミラー１が３本のタワー１ａにより地面から約２０ｍの高さに支持されている。センターミラー１の表面形状は仮想的な回転楕円体の一部をなし、北側の角度１２０度の範囲が切欠かれた形状をしている。センターミラー１は縦断面が楕円に合致した湾曲面を有し、その中心を上下に貫通する中心軸Ｇ上に共焦点として第１焦点Ａ（上側）と第２焦点Ｂ（下側）が存在している。
【００２２】
センターミラー１の真下には支持台４が設置され、その上面に４個（２行２列）の太陽電池セル集合体３が矩形状に隙間なく並置されている。１つの太陽電池セル集合体３は、表面に受光素子を有する３６枚の太陽電池セル（図示省略）を６行６列の矩形状に隙間なく並置した構造になっている。太陽電池セル集合体３の表面は水平で、その中心に前記中心軸Ｇが貫通すると共に前記第２焦点Ｂが合致している。
【００２３】
センターミラー１の北側から東西両側にかけて角度２４０度の範囲内に合計１１３基のヘリオスタット５が放射状に設置されている（図２参照）。ヘリオスタット５が配置されている範囲は、日中の太陽方位の対角となる範囲で、センターミラー１の南側領域にはヘリオスタット５は配置されていない。
【００２４】
図２に示す扇状エリアＥは、従来のタワー式の場合のヘリオスタット領域で、約角度９０度の範囲である。タワー式の場合は、この範囲を超えて設置しても（例えばタワーの横に回り込むようにしても）、タワーの１つの側面に設置された太陽電池セル集合体には太陽光が届かないため、どうしても９０度程度が限界であった。それに対して、本実施形態のビームダウン式にすれば、タワー式の角度範囲を超えて広い領域にヘリオスタット５を設置することができる。
【００２５】
このヘリオスタット５は、ミラー要素としての４枚のミラー２に反射機能を分散させたマルチミラー型のものである。各ヘリオスタット５のベース６にはセンターミラー１側にバー７が立設され、その上端にセンサー８が固定されている。ベース６のバー７とは反対側に支柱９が設けられ、その上端に第１駆動部１０が設けられている。第１駆動部１０には、地球の自転軸と平行で地面に対して所定の角度を有する第１軸１１が設けられている。この第１軸１１は第１駆動部１０により軸心を中心に日周運動に関連する赤経方向Ｘ（図７参照）へ回転自在である。
【００２６】
第１軸１１の先端にはコ字形のフレーム１２が固定されている。このフレーム１２の両側のフランジには第１軸１１と直交する方向に第２軸１３が貫通している。第２軸１３は金属パイプで、フランジの外側へ両側が突出している。フレーム１２と第２軸１３との間には、第２軸１３を季節運動に関連する赤緯方向Ｙ（図７参照）へ回転させる第２駆動部１４が設けられている。
【００２７】
フレーム１２から外側へ突出した第２軸１３の両端には別の支持パイプ１５が直交方向に貫通している。第２軸１３と支持パイプ１５でＨ形を形成し、その四隅となる支持パイプ１５の両端にミラー２がそれぞれ金具１６により取り付けられている。ミラー２は直径５０ｃｍの円形で、その表面はそれぞれ第１焦点Ａまでの距離に応じた焦点距離を有する凹球面になっている。
【００２８】
フレーム１２の内側の第２軸１３には一対のブラケット１７を介してセンサーミラー１８が取付けられている。センサーミラー１８は横長の長方形で、表面はフラットである。
【００２９】
センサーミラー１８で反射された太陽光Ｌはセンサー８により受光される。センサー８は、センサーミラー１８と第１焦点Ａの間に位置しており、センサーミラー１８とセンサー８を結ぶ線の延長線上に第１焦点Ａが存在する。従って、センサーミラー１８で反射された太陽光Ｌが常にセンサー８で受光されるようにミラー２の赤経方向Ｘ及び赤緯方向Ｙへの回転を制御すると、その太陽光Ｌはセンサー８の先の第１焦点Ａに必ず向かうことになる。４枚のミラー２は、センサーミラー１８にて反射された太陽光Ｌの光路を代表的光軸として、その光軸上における焦点距離位置である第１焦点Ａを通過するように予め角度が調整されている。
【００３０】
センサー８の内部には太陽光Ｌの左右方向（赤経方向）及び上下方向（赤緯方向）での中立位置を検出する光検出素子が設けられており、センサー８から第１駆動部１０及び第２駆動部１４へ信号を出力している。そして、センサーミラー１８で反射される太陽光Ｌが必ずセンサー８で受光されるように（センサー８の方向に向かうように）、第１駆動部１０及び第２駆動部１４をフィードバック制御し、第１軸１１及び第２軸１３を赤道儀方式により赤経方向Ｘ及び赤緯方向Ｙへ回転させて、４枚のミラー２で反射された４本の太陽光Ｌを第１焦点Ａに向けて反射している。各ミラー２で反射された太陽光Ｌは所定の太さを有する光束で、第１焦点Ａを通過する時に最も細くなり、第１焦点Ａを通過してから多少拡散しながらセンターミラー１で反射されて第２焦点Ｂに向かう。第２焦点Ｂは太陽電池セル集合体３内に位置しているため、太陽光Ｌは太陽電池セル集合体３に対して所定の大きさのスポットとなって当たり、太陽電池セル集合体３を構成する太陽電池セルが発電する。
【００３１】
この際、各ミラー２が小さいため、製造時の表面形状精度がそのまま維持され、太陽電池セル集合体３において歪みの少ないスポットを形成することができる。歪みの少ない形状のスポットは太陽電池セル集合体３に当たる太陽光Ｌの強度及び範囲を計算する際に有利である。
【００３２】
また、ヘリオスタット５のミラー２が、第１軸１１を中心にした日周運動と、第２軸１３を中心とした季節運動で回転する赤道儀方式のため、太陽を追尾し易い。すなわち、一日のミラー２の動きは専ら日周運動に支配され、季節運動はほんの僅かであるため、従って、例えば、センサー８による太陽Ｓの追尾中に、太陽Ｓが雲で隠れた場合などは、照度計などによりその状態を検知して、センサー８によるリアルタイム制御から、通常の太陽の動きに応じた定速回転を再現するクロック制御に切り換える。そうすれば、ミラー２は概ねセンサー８で制御している場合と同様の回転を進めるため、雲が無くなって再び太陽Ｓが現れた時には、センサーミラー１８で反射された太陽光Ｌは必ずセンサー８に当たり、センサー８による制御が復帰して、センサー８によるリアルタイム追尾制御をそこから継続することができる。
【００３３】
更に、センサー８による制御は、センサーミラー１８で実際に反射された太陽光Ｌの光路位置をリアルタイムで検出するため、いわゆる二次側制御（出側制御）となり、ヘリオスタット５に加わった外因（風圧やガタなど）も含めて制御することができ、ヘリオスタット５で反射されて太陽電池セル集合体３に当たった太陽光Ｌのスポットが完全に停止した状態となり動かない。従って、太陽電池セル集合体３における太陽光Ｌの強度が変動せず、発電出力の変動も小さくすることができる。
【００３４】
この実施形態に係る４個（２行２列）の組み合わせた太陽電池セル集合体３の面積は０．０６平方メートルである。また、１１３基のヘリオスタット５はそれぞれ直径５０ｃｍの円形ミラー２を４枚ずつ持っているため、ミラー２の総数は４５２枚で、ミラー２の総反射面積は約９０平方メートルとなる。そのミラー２群により反射された太陽光Ｌの全てが太陽電池セル集合体３の範囲内に入射する。太陽電池セル集合体３の面積内に太陽光Ｌが全て集光することにより約１５００倍の集光度となる。約１５００倍の太陽光Ｌが入射することにより、太陽電池セル集合体３の発電効率は４０％以上に高まる。
【００３５】
太陽電池セル集合体３の発電効率は集光度を高めることにより向上するが、この発電効率は太陽電池セル集合体３に対する太陽光Ｌの入射角度も影響する。太陽電池セルの場合、太陽光Ｌは太陽電池セルの表面に垂直に入射するのが望ましく、太陽光Ｌの表面に対する入射角が大きくなればなる程、表面で反射される成分も多くなり、発電効率が低下する。特に、太陽電池セルの種類として、それぞれ異なる波長で発電する太陽電池セルを複数積層した多接合型太陽電池セルの場合は、部分的に発電しない素子が生じると、その素子に合わせて全体の発電効率も大きく低下するため、太陽電池セルには、その種類・構造により、それぞれ太陽光Ｌの許容入射角度がある。
【００３６】
そこで、センターミラー１にて反射されて太陽電池セル集合体３に至る太陽光Ｌの入射角度を、それぞれ太陽電池セルに固有の許容入射角度以内に維持する必要がある。
【００３７】
ビームダウン式の場合は、センターミラー１に近いヘリオスタット５は太陽電池セル集合体３に対して垂直（中心軸Ｇ）に近い角度で入射するため問題ない。これに対して、センターミラー１から遠いヘリオスタット５からの太陽光Ｌは、遠くなるほど太陽電池セル集合体３に対する入射角度（中心軸Ｇに対する）が大きくなるため、最遠のヘリオスタット５からの太陽光Ｌ′を太陽電池セル集合体３の許容入射角度以内にコントロールする必要がある。
【００３８】
そこで、図４に示すように、最遠のヘリオスタット５からの太陽光Ｌ′の太陽電池セル集合体３に対する入射角度θは、センターミラー１での反射点Ｐと中心軸Ｇとを結ぶ水平距離Ｍと、前記反射点Ｐと太陽電池セル集合体３の表面とを結ぶ垂直距離Ｈとの関係で決まる。従って、システム全体を設計する場合、まず必要な総エネルギー量からヘリオスタット５の総数が決められた後に、最遠のヘリオスタット５からの太陽光Ｌ′の入射角度θが許容入射角度以内になるように、この水平距離Ｍと垂直距離Ｈを決定する。２つの距離要素Ｍ，Ｈを調整する調整するだけで、最遠の太陽光Ｌ′の入射角度を許容入射角度以下に設定することができるため、全体設計が容易である。
【００３９】
以上説明したように、本実施形態によれば、太陽電池セル集合体３をビームダウン式の集光装置の第２焦点Ｂに位置させ、そこに複数のヘリオスタット５により反射した太陽光Ｌを当たるため、ヘリオスタット５のミラー２の枚数やヘリオスタット５自体の数を増やした分だけ、太陽電池セル集合体３に対する集光度を高めることができる。
【００４０】
図１０及び図１１は、本発明の第２実施形態を示す図である。本実施形態は、前記第１実施形態と同様の構成要素を備えている。よって、それら同様の構成要素については共通の符号を付すとともに、重複する説明を省略する。
【００４１】
この実施形態では、支持台２８の上部に筒型集光鏡２７を設置し、その筒型集光鏡２７の内側に太陽電池セル集合体３を設けたものである。筒型集光鏡２７は複数のミラーセグメント２９から形成されたテーパー形状で、上部開口よりも下部開口が小さくなっており、内面はミラーセグメント２９により全体が鏡面になっている。そして、筒型集光鏡２７の上部開口における中心に第２焦点Ｂが位置している。
【００４２】
ヘリオスタット５で反射された太陽光Ｌは、本来は正確に第１焦点Ａを通過し、センターミラー１で反射されてから、全てが第２焦点Ｂに向かうように設計されているが、ヘリオスタット５の駆動機構の状態や、センターミラー１の反射面の状態によっては、一部の太陽光Ｌが第２焦点Ｂから少しずれる場合がある。そのような場合も、この実施形態によれば、第２焦点Ｂの周囲に筒型集光鏡２７を設けているため、第２焦点Ｂから外れた太陽光Ｌも筒型集光鏡２７の内面で反射して確実に太陽電池セル集合体３に導くことができる。筒型集光鏡２７に導入される太陽光Ｌ′の入射角度θが小さいため、筒型集光鏡２７の内面で反射されて太陽電池セル集合体３に入射する角度も小さくなる。
【００４３】
ある程度集光された太陽光Ｌが筒型集光鏡２７の内面に当たるため、筒型集光鏡２７は加熱された状態になるが、筒型集光鏡２７が複数のミラーセグメント２９から構成されているため、太陽光Ｌにより加熱されても各ミラーセグメント２９内において内部応力を容易に解放することができ破損しにくい。
【００４４】
図１２は、本発明の第３実施形態を示す図である。本実施形態も、先の実施形態と同様の構成要素については共通の符号を付すとともに、重複する説明を省略する。
【００４５】
この実施形態では、ビームダウン式のセンターミラー２０の形状を、先の実施形態のような上に凸の楕円鏡形状から、下に凸の双曲面鏡に変更した例を示す。このような形状のセンターミラー２０の場合は、最遠のヘリオスタットからの太陽光Ｌ′が手前側の反射点Ｐで反射して太陽電池セル集合体３に至るため、楕円鏡の場合と、太陽電池セル集合体３に入射する方向が逆になる。しかし、センターミラー２０での反射点Ｐと中心軸Ｇとを結ぶ水平距離Ｍと、反射点Ｐと太陽電池セル集合体３の表面とを結ぶ垂直距離Ｈとの関係で、太陽光Ｌ′の入射角度θが決まることは相違ないので、全体設計する際には、この２つの距離要素Ｍ，Ｈを考慮して、最遠の太陽光Ｌ′の入射角度が許容入射角度以下になるように設計することができる。
【００４６】
尚、以上の各実施形態では、センターミラー１の角度１２０度の範囲を切り欠いた形状にして、ヘリオスタット５をセンターミラー１の周囲の角度２４０度の範囲に設置する例を示したが、センターミラー１は全方位をカバーする形状にして、ヘリオスタット５はセンターミラー１の全周に設置する構造にしても良い。
【００４７】
また、本実施形態では、４枚のミラー２を有するヘリオスタット５を例にしたが、ミラー２の数は４枚に限定されず、５枚以上にすることも可能である。
【００４８】
更に、太陽電池セル集合体３の裏面に、太陽電池セル集合体３を冷却する冷却体を設けても良い。冷却体としては、内部に水等の冷媒用通路を有する一体的な鋳造体が好適である。
【００４９】
更に、太陽電池セル集合体３の表面側に、光を集中させる１または複数の集光体を設けても良い。集光体としては、光の出口側の断面が狭まった略四角錐のプリズムが矩形状に並置された状態で一体成形されたものが好適である。集光体の光の入口側に、太陽光の強度を均一化し且つ紫外線を吸収するガラス部材を設けても良い。
【符号の説明】
【００５０】
１、２０  センターミラー
２  ミラー
３  太陽電池セル集合体  
５  ヘリオスタット
８  センサー
１８  センサーミラー
２７  筒型集光鏡
Ａ  第１焦点
Ｂ  第２焦点
Ｅ  タワー式のヘリオスタット設置範囲
Ｘ  赤経方向
Ｙ  赤緯方向
Ｌ  太陽光
Ｌ′  最遠のヘリオスタットからの太陽光
Ｇ  中心軸
Ｓ  太陽
【図１】
2012038954.tif 000003
【図２】
2012038954.tif 000004
【図３】
2012038954.tif 000005
【図４】
2012038954.tif 000006
【図５】
2012038954.tif 000007
【図６】
2012038954.tif 000008
【図７】
2012038954.tif 000009
【図８】
2012038954.tif 000010
【図９】
2012038954.tif 000011
【図１０】
2012038954.tif 000012
【図１１】
2012038954.tif 000013
【図１２】
2012038954.tif 000014